【手続補正書】
【提出日】平成17年2月22日(2005.2.22)
【手続補正１】
【補正対象書類名】明細書
【補正対象項目名】発明の名称
【補正方法】変更
【補正の内容】
【発明の名称】画像データの処理方法およびその方法を実行する画像データの処理システムならびに情報処理装置
【手続補正２】
【補正対象書類名】明細書
【補正対象項目名】特許請求の範囲
【補正方法】変更
【補正の内容】
【特許請求の範囲】
【請求項１】
ネットワーク回線によって接続された複数の情報処理装置で行われる画像データの処理方法であって、
任意の１の情報処理装置に要求された画像データの処理が当該１の情報処理装置で現在実行できるか否かを判断する段階と、
要求された画像データの処理が前記１の情報処理装置で実行できないと判断されたときには、前記１の情報処理装置が他の情報処理装置に対して、前記要求された画像データの処理が実行できるか否かを問い合わせる段階と、
問い合わせを受けた情報処理装置が前記１の情報処理装置にその問い合わせに対する返答をする段階と、
前記要求された画像データの処理を実行できる情報処理装置があるときには、当該１の情報処理装置から他の情報処理装置に、前記処理の対象となる画像データを転送する段階と、
前記他の情報処理装置が前記要求された画像データの処理を、転送された画像データに対して行う段階と、
前記他の情報処理装置が処理後の画像データを前記１の情報処理装置に転送する段階と、
を含むことを特徴とする画像データの処理方法。
【請求項２】
前記画像データの処理は、
画像データの圧縮、画像データの伸長、画像データのデータ形式の変換のいずれかであることを特徴とする請求項１に記載の画像データの処理方法。
【請求項３】
前記要求された画像データの処理が実行できるか否かを問い合わせる段階では、
前記要求された画像データの処理が実行できるか否かの問い合わせを前記１の情報処理装置が他の情報処理装置に対して１台ずつ順番に行うことを特徴とする請求項１に記載の画像データの処理方法。
【請求項４】
前記要求された画像データの処理が実行できるか否かを問い合わせる段階では、
前記要求された画像データの処理が実行できるか否かの問い合わせを前記１の情報処理装置が他の情報処理装置に対して一斉に行い、
前記処理の対象となる画像データを転送する段階では、
前記要求された画像データの処理を実行できる情報処理装置が複数あるときには、特定の情報処理装置を選択し、当該１の情報処理装置から当該特定の情報処理装置に、前記処理の対象となる画像データを転送することを特徴とする請求項１に記載の画像データの処理方法。
【請求項５】
複数の情報処理装置がネットワーク回線によって接続された画像データの処理システムであって、
前記それぞれの情報処理装置は、
要求された画像データの処理が現在実行できるか否かを判断する判断手段と、
要求された画像データの処理が実行できないと判断したときには、他の情報処理装置に対して、前記要求された画像データの処理が実行できるか否かを問い合わせる問い合わせ手段と、
要求された画像データの処理を実行できる情報処理装置があるときには、当該情報処理装置に、前記処理の対象となる画像データを転送する処理対象画像データ転送手段と、
他の情報処理装置から問い合わせを受けたときに、その問い合わせに対する返答をする返答手段と、
要求された画像データの処理を、転送された画像データに対して行う画像データ処理手段と、
処理後の画像データを転送する処理後画像データ転送手段と、
を備え、
任意の１の情報処理装置に要求された画像データの処理を当該１の情報処理装置で実行できないときには、他の情報処理装置に当該処理を行わせ、前記１の情報処理装置が当該他の情報処理装置から処理後の画像データを取得できるようにしたことを特徴とする画像データの処理システム。
【請求項６】
複数の情報処理装置がネットワーク回線によって接続され、任意の１の情報処理装置に要求された画像データの処理を当該１の情報処理装置で実行できないときには、他の情報処理装置に当該処理を行わせ、前記１の情報処理装置が当該他の情報処理装置から処理後の画像データを取得できるようにした画像データの処理システムであって、
当該１の情報処理装置は、
要求された画像データの処理が現在実行できるか否かを判断する判断手段と、
要求された画像データの処理が実行できないと判断したときには、他の情報処理装置に対して、前記要求された画像データの処理が実行できるか否かを問い合わせる問い合わせ手段と、
要求された画像データの処理を実行できる情報処理装置があるときには、当該情報処理装置に、前記処理の対象となる画像データを転送する処理対象画像データ転送手段と、を備え、
当該他の情報処理装置は、
前記１の情報処理装置から問い合わせを受けたときに、その問い合わせに対する返答をする返答手段と、
要求された画像データの処理を、前記１の情報処理装置から転送された画像データに対して行う画像データ処理手段と、
処理後の画像データを前記１の情報処理装置に転送する処理後画像データ転送手段と、を備えたことを特徴とする画像データの処理システム。
【請求項７】
前記画像データの処理は、
画像データの圧縮、画像データの伸長、画像データのデータ形式の変換のいずれかであることを特徴とする請求項５または請求項６に記載の画像データの処理システム。
【請求項８】
前記問い合わせ手段は、
前記要求された画像データの処理が実行できるか否かの問い合わせを前記他の情報処理装置に対して１台ずつ順番に行うことを特徴とする請求項５または請求項６に記載の画像データの処理システム。
【請求項９】
前記問い合わせ手段は、
前記要求された画像データの処理が実行できるか否かの問い合わせを前記他の情報処理装置に対して一斉に行うことを特徴とする請求項５または請求項６に記載の画像データの処理システム。
【請求項１０】
前記処理対象画像データ転送手段は、
前記要求された画像データの処理を実行できる情報処理装置が複数あるときには、特定の情報処理を選択し、当該特定の情報処理装置に、前記処理の対象となる画像データを転送することを特徴とする請求項５または請求項６に記載の画像データの処理システム。
【請求項１１】
要求された画像データの処理が現在実行できるか否かを判断する判断手段と、
要求された画像データの処理が実行できないと判断したときには、ネットワーク回線によって接続された他の情報処理装置に対して、前記要求された画像データの処理が実行できるか否かを問い合わせる問い合わせ手段と、
要求された画像データの処理を実行できる情報処理装置があるときには、当該情報処理装置に、前記処理の対象となる画像データを転送する処理対象画像データ転送手段と、
ネットワーク回線によって接続された他の情報処理装置から問い合わせを受けた場合に、前記問い合わせに対する返答を行う返答手段と、
要求された画像データの処理を、転送された画像データに対して行う画像データ処理手段と、
処理後の画像データを転送する処理後画像データ転送手段と、
を備えたことを特徴とする情報処理装置。
【請求項１２】
要求された画像データの処理が現在実行できるか否かを判断する判断手段と、
要求された画像データの処理が実行できないと判断したときには、ネットワーク回線によって接続された他の情報処理装置に対して、前記要求された画像データの処理が実行できるか否かを問い合わせる問い合わせ手段と、
前記問い合わせ手段による問い合わせに対する返答を受信する返答受信部と、
要求された画像データの処理を実行できる情報処理装置があるときには、当該情報処理装置に、前記処理の対象となる画像データを転送する処理対象画像データ転送手段と、
処理後の画像データを受信する受信手段と、
を有することを特徴とする情報処理装置。
【請求項１３】
ネットワーク回線によって接続された他の情報処理装置から、画像データの処理が実行できるか否かの問い合わせを受信する問い合わせ受信手段と、
要求された画像データの処理が現在実行できるか否かを判断する判断手段と、
前記問い合わせに対し、前記判断手段での判断結果に応じた返答を行う返答手段と、
前記処理の対象となる画像データを受信する処理対象画像データ受信手段と、
要求された画像データの処理を、転送された画像データに対して行う画像データ処理手段と、
処理後の画像データを転送する処理後画像データ転送手段と、
を備えたことを特徴とする情報処理装置。
【手続補正３】
【補正対象書類名】明細書
【補正対象項目名】０００１
【補正方法】変更
【補正の内容】
【０００１】
【発明の属する技術分野】
本発明は、１の情報処理装置に要求された画像データの処理を、ネットワーク回線によって接続されている他の情報処理装置に依頼し、処理後の画像データを取得できるようにした、画像データの処理方法およびその方法を実行する画像データの処理システムならびに情報処理装置に関する。
【手続補正４】
【補正対象書類名】明細書
【補正対象項目名】０００６
【補正方法】変更
【補正の内容】
【０００６】
本発明は、このような従来の技術の問題点に鑑みてなされたものであり、特定の画像形成装置に要求された画像データの処理を、ネットワーク回線によって接続されている他の画像形成装置に依頼し、処理後の画像データを取得できるようにして、処理システム全体としての稼動率を向上させることができる、画像データの処理方法およびその方法を実行する画像データの処理システムならびに情報処理装置の提供を目的とする。
【手続補正５】
【補正対象書類名】明細書
【補正対象項目名】００１３
【補正方法】変更
【補正の内容】
【００１３】
また、前記問い合わせ手段は、
前記要求された画像データの処理が実行できるか否かの問い合わせを前記他の情報処理装置に対して一斉に行うことが好ましい。
また、前記処理対象画像データ転送手段は、
前記要求された画像データの処理を実行できる情報処理装置が複数あるときには、特定の情報処理を選択し、当該特定の情報処理装置に、前記処理の対象となる画像データを転送することが好ましい。
また、本発明にかかる情報処理装置は、要求された画像データの処理が現在実行できるか否かを判断する判断手段と、要求された画像データの処理が実行できないと判断したときには、ネットワーク回線によって接続された他の情報処理装置に対して、前記要求された画像データの処理が実行できるか否かを問い合わせる問い合わせ手段と、要求された画像データの処理を実行できる情報処理装置があるときには、当該情報処理装置に、前記処理の対象となる画像データを転送する処理対象画像データ転送手段と、ネットワーク回線によって接続された他の情報処理装置から問い合わせを受けた場合に、前記問い合わせに対する返答を行う返答手段と、要求された画像データの処理を、転送された画像データに対して行う画像データ処理手段と、処理後の画像データを転送する処理後画像データ転送手段と、を備えたことを特徴とする。
さらに、本発明にかかる情報処理装置は、要求された画像データの処理が現在実行できるか否かを判断する判断手段と、要求された画像データの処理が実行できないと判断したときには、ネットワーク回線によって接続された他の情報処理装置に対して、前記要求された画像データの処理が実行できるか否かを問い合わせる問い合わせ手段と、前記問い合わせ手段による問い合わせに対する返答を受信する返答受信部と、要求された画像データの処理を実行できる情報処理装置があるときには、当該情報処理装置に、前記処理の対象
となる画像データを転送する処理対象画像データ転送手段と、処理後の画像データを受信する受信手段と、を有することを特徴とする。
また、本発明にかかる情報処理装置は、ネットワーク回線によって接続された他の情報処理装置から、画像データの処理が実行できるか否かの問い合わせを受信する問い合わせ受信手段と、要求された画像データの処理が現在実行できるか否かを判断する判断手段と、前記問い合わせに対し、前記判断手段での判断結果に応じた返答を行う返答手段と、前記処理の対象となる画像データを受信する処理対象画像データ受信手段と、要求された画像データの処理を、転送された画像データに対して行う画像データ処理手段と、処理後の画像データを転送する処理後画像データ転送手段と、を備えたことを特徴とする。